(57)【要約】【課題】スクラップする素材を破損することなく手軽に簡単にスクラップでき、いつでもどこでもスクラップした内容を確認できる携帯用電子スクラップ装置であって、カメラで撮影した所定範囲の文字情報を文字が潰れないように全体的に表示可能とする。【解決手段】携帯可能な端末２にカメラを組み込み、カメラで撮影した情報を端末２内の記憶部５に保存し、記憶部５に保存した情報を画面部に表示する携帯用電子スクラップ装置１であって、端末２を折畳・展開可能な二つ折り構造とし、折り畳んだ端末２の外側面２ｅに、スクラップする際にカメラで撮影した範囲を表示するモニター用画面部４を設け、展開した端末２の内側面２ｆ、２ｇに、記憶部５に保存した情報を表示するディスプレイ用画面部６を設け、ディスプレイ用画面部６の面積がモニター用画面部４の面積よりも大きい。【選択図】図３
2012085080.tif 000002
【特許請求の範囲】
【請求項１】
携帯可能な端末にカメラを組み込み、該カメラで撮影したスクラップすべき情報を前記端末内の記憶部に保存し、該記憶部に保存した情報を前記端末に設けた画面部に表示する携帯用電子スクラップ装置であって、
前記端末を折畳・展開可能な二つ折り構造とし、
折り畳んだ前記端末の外側に、スクラップすべき情報を前記記憶部に保存する際に前記カメラで撮影した範囲を表示するモニター用画面部を設け、
展開した前記端末の内側に、前記記憶部に保存された情報を表示するディスプレイ用画面部を設け、
該ディスプレイ用画面部の面積が前記モニター用画面部の面積よりも大きい
ことを特徴とする携帯用電子スクラップ装置。
【請求項２】
前記ディスプレイ用画面部の単位面積当たりの画素数が、前記モニター用画面部の単位面積当たりの画素数よりも多い
請求項１に記載の携帯用電子スクラップ装置。
【請求項３】
前記ディスプレイ用画面部が、展開した前記端末の内側の両面に配設された第１ディスプレイ用画面部及び第２ディスプレイ用画面部から成る
請求項１又は２に記載の携帯用電子スクラップ装置。
【請求項４】
前記記憶部に保存された情報を、前記第１ディスプレイ用画面部及び前記第２ディスプレイ用画面部に、両画面部を跨いで表示する
請求項３に記載の携帯用電子スクラップ装置。
【請求項５】
前記端末が、長方形の板状に形成された裏板部と、該裏板部と同サイズの表板部と、該表板部の一方の長辺と前記裏板部の一方の長辺とを接続する蝶番部とを有し、
前記カメラのレンズが、前記端末を折り畳んだとき外側となる前記表板部の外側面に配設され、
前記モニター用画面部が、前記端末を折り畳んだとき外側となる前記裏板部の外側面に配設され、
前記第１ディスプレイ用画面部が、前記端末を展開したとき露出する前記裏板部の内側面に配設され、
前記第２ディスプレイ用画面部が、前記端末を展開したとき露出する前記表板部の内側面に配設された
請求項３又は４に記載の携帯用電子スクラップ装置。
【請求項６】
前記モニター用画面部が、長辺と短辺とを有する矩形モニター用画面部から成り、
該矩形モニター用画面部が、前記端末の裏板部の外側面に配設され、
前記端末を、前記矩形モニター用画面部の長辺が水平で短辺が鉛直となる姿勢としたとき、
前記短辺の右側方に横用シャッター釦を配設すると共に、前記長辺の下方に縦用シャッター釦を配設した
請求項５に記載の携帯用電子スクラップ装置。
【請求項７】
前記カメラのレンズが、ズームレンズ、交換可能レンズ又は交換可能なズームレンズである
請求項１乃至６のいずれかに記載の携帯用電子スクラップ装置。
【発明の詳細な説明】
【技術分野】
【０００１】
本発明は、携帯可能な端末にカメラを組み込み、カメラで撮影したスクラップすべき情報を端末内の記憶部に保存し、記憶部に保存した情報をその端末に設けた画面部に表示する携帯用電子スクラップ装置に関する。
【背景技術】
【０００２】
業務上あるいは業務外のいかなる生活シーンを問わず、任意の大きさの紙媒体すなわち新聞、雑誌、書類等の閲覧中に、自分にとって有益な記事情報を目の当たりにしたとき、紙媒体からその情報の部分を切り抜き、ノート等に貼付し、保存・活用するスクラップ帳を利用する人は少なくない。しかし、スクラップ帳を利用する場合、紙媒体を切り抜いて貼付する必要があるため、素材（紙媒体）が破損してしまう上、ハサミやノリが必要であり、情報収集の作業が煩雑で時間が掛かる。また、情報をスクラップするにつれて、収集した「紙」の情報が蓄積されて嵩が増していくため、スクラップ帳の冊数が増え、大きな収納スペースが必要となる。
【０００３】
ところで、現在市販されているデジタルカメラでも、新聞、雑誌、書類等の記事情報を撮影してカメラ本体内の記憶部に保存し、記憶部に保存した情報をカメラ本体に設けた液晶画面部に表示することは可能である。すなわち、デジタルカメラを電子的なスクラップ帳（電子スクラップ装置）として利用することも考えられる。デジタルカメラを電子スクラップ装置として利用すれば、スクラップしたい情報に向けてシャッター釦を押すのみでよいため素材を破損することなく情報収集を手軽に簡単に行うことができ、スクラップした情報の量が増えていっても嵩が増すことはない。
【０００４】
しかし、デジタルカメラは、撮影範囲を定めるファインダー画面部と保存した画像を表示するディスプレイ画面部とが共通であるものが多く、その画面部（液晶画面部）がカメラ本体の背面部に配設されているため、液晶画面部の面積が小さく制限されている。このため、或る程度広い範囲（面積）の記事情報を撮影すると、撮影した記事情報を面積の小さな液晶画面部に表示した際に文字が小さく表示されて潰れてしまい、判読できないという問題がある。文字を判読できるようにするためには、撮影の際、記事の文字が大写しとなるように接写し、撮影範囲をずらして何度も撮影する必要があり、煩雑である。また、このように撮影範囲をずらして何度も接写すると、その後、撮影した記事情報を液晶画面部に表示して判読する際に、撮影範囲の異なる記事情報を順番に表示する必要があり、一目で記事情報の全体を把握できず、使い勝手が悪い。
【０００５】
関連する先行技術としては、携帯可能な端末にイメージスキャナを組み込み、イメージスキャナで紙上の文字、図、写真等の情報を取り込んで記憶部に保存し、保存された情報を端末に設けた画像表示部に表示するようにした電子スクラップブック（特許文献１）が知られている。また、携帯可能な端末にカメラを組み込み、カメラで新聞等の記事情報を撮影し、その情報をネットワーク（インターネット）を介して別の端末（コンピュータ）に送り、その端末の表示部に表示して編集するようにした電子コンテンツ・スクラップシステム（特許文献２）も知られている
【先行技術文献】
【特許文献】
【０００６】
【特許文献１】特開平５−３０３６１９号公報
【特許文献２】特開２００７−６５９１９号公報
【発明の概要】
【発明が解決しようとする課題】
【０００７】
前者の電子スクラップブックにおいては、文字情報の取り込みにイメージスキャナを使用しているため、スクラップする新聞や雑誌等を一旦コピーしてイメージスキャナで取り込める定型サイズの紙片に変換する作業が必要となる。すなわち、スクラップ対象物から即座に情報を収集できず、手間が掛かってしまう。また、情報の取り込みにイメージスキャナを使用しているため、自然風景や立体物やテレビに映った画像等の紙媒体以外の情報をスクラップすることはできない。このような点で、デジタルカメラを携帯用電子スクラップ装置として利用した場合に劣る。
【０００８】
後者の電子コンテンツ・スクラップシステムにおいては、携帯可能な端末（携帯電話等）に設けたカメラで情報を撮影するため、紙媒体以外の情報であっても手軽に簡単にスクラップできる。しかし、撮影した情報をネットワークを介してコンピュータ（コンビニエンスストア等に設置）に送りそのコンピュータの表示部に表示させて編集するようにしており、携帯端末自体には表示部が設けられていないため、スクラップした情報を携帯端末と共に持ち運ぶことができず、スクラップした情報内容を即座に確認できない。このような点で、デジタルカメラを携帯用電子スクラップ装置として利用した場合に劣る。
【０００９】
以上の事情を考慮して創案された本発明の目的は、スクラップする素材を破損することなく、自然風景や立体物を含めて手軽に簡単にスクラップでき、いつでもどこでもスクラップした内容を確認できる携帯用電子スクラップ装置であって、カメラで撮影した所定範囲の文字情報を文字が潰れないように全体的に表示でき、使い勝手のよい携帯用電子スクラップ装置を提供することにある。
【課題を解決するための手段】
【００１０】
上記目的を達成するために創案された請求項１に係る発明は、携帯可能な端末にカメラを組み込み、該カメラで撮影したスクラップすべき情報を前記端末内の記憶部に保存し、該記憶部に保存した情報を前記端末に設けた画面部に表示する携帯用電子スクラップ装置であって、前記端末を折畳・展開可能な二つ折り構造とし、折り畳んだ前記端末の外側に、スクラップすべき情報を前記記憶部に保存する際に前記カメラで撮影した範囲を表示するモニター用画面部を設け、展開した前記端末の内側に、前記記憶部に保存された情報を表示するディスプレイ用画面部を設け、該ディスプレイ用画面部の面積が前記モニター用画面部の面積よりも大きいことを特徴とする携帯用電子スクラップ装置である。
【００１１】
請求項２に係る発明は、前記ディスプレイ用画面部の単位面積当たりの画素数が、前記モニター用画面部の単位面積当たりの画素数よりも多い請求項１に記載の携帯用電子スクラップ装置である。
【００１２】
請求項３に係る発明は、前記ディスプレイ用画面部が、展開した前記端末の内側の両面に配設された第１ディスプレイ用画面部及び第２ディスプレイ用画面部から成る請求項１又は２に記載の携帯用電子スクラップ装置である。
【００１３】
請求項４に係る発明は、前記記憶部に保存された情報を、前記第１ディスプレイ用画面部及び前記第２ディスプレイ用画面部に、両画面部を跨いで表示する請求項３に記載の携帯用電子スクラップ装置である。
【００１４】
請求項５に係る発明は、前記端末が、長方形の板状に形成された裏板部と、該裏板部と同サイズの表板部と、該表板部の一方の長辺と前記裏板部の一方の長辺とを接続する蝶番部とを有し、前記カメラのレンズが、前記端末を折り畳んだとき外側となる前記表板部の外側面に配設され、前記モニター用画面部が、前記端末を折り畳んだとき外側となる前記裏板部の外側面に配設され、前記第１ディスプレイ用画面部が、前記端末を展開したとき露出する前記裏板部の内側面に配設され、前記第２ディスプレイ用画面部が、前記端末を展開したとき露出する前記表板部の内側面に配設された請求項３又は４に記載の携帯用電子スクラップ装置である。
【００１５】
請求項６に係る発明は、前記モニター用画面部が、長辺と短辺とを有する矩形モニター用画面部から成り、該矩形モニター用画面部が、前記端末の裏板部の外側面に配設され、前記端末を、前記矩形モニター用画面部の長辺が水平で短辺が鉛直となる姿勢としたとき、前記短辺の右側方に横用シャッター釦を配設すると共に、前記長辺の下方に縦用シャッター釦を配設した請求項５に記載の携帯用電子スクラップ装置である。
【００１６】
請求項７に係る発明は、前記カメラのレンズが、ズームレンズ、交換可能レンズ又は交換可能なズームレンズである請求項１乃至６のいずれかに記載の携帯用電子スクラップ装置である。
【発明の効果】
【００１７】
本発明によれば次のような効果を発揮できる。
【００１８】
（１）請求項１に係る携帯用電子スクラップ装置によれば、携帯可能な端末を折畳・展開可能な二つ折り構造とし、折り畳んだ端末の外側にモニター用画面部を、展開した端末の内側にモニター用画面部よりも面積の大きなディスプレイ用画面部を、夫々設けている。
【００１９】
情報をスクラップする際には、端末を折り畳み、コンパクトで取扱性のよい状態として、モニター用画面部にスクラップすべき範囲の情報を表示して撮影し、記憶部に保存する。その後、記憶部に保存した情報を閲覧する際には、端末を展開し、モニター用画面部よりも面積の大きなディスプレイ用画面部に表示する。これにより、撮影した範囲の情報を、文字が潰れないように拡大して全体的に表示できる。
【００２０】
カメラで撮影してスクラップしているので、スクラップする素材を破損することなく、自然風景や立体物を含めて手軽に簡単にスクラップできる。また、端末にディスプレイ用画面部を設けているので、いつでもどこでもスクラップした内容を確認でき、使い勝手がよい。
【００２１】
（２）請求項２に係る携帯用電子スクラップ装置によれば、ディスプレイ用画面部の単位面積当たりの画素数がモニター用画面部の単位面積当たりの画素数よりも多いため、スクラップした情報をディスプレイ用画面部に表示して閲覧する際には、撮影時にモニター用画面部に表示されたものよりも、クリアに精密に表示できる。よって、文字の潰れを更に抑制できる。
【００２２】
（３）請求項３に係る携帯用電子スクラップ装置によれば、展開した端末の内側の両面に第１及び第２ディスプレイ用画面部を設けてこれらを合わせてディスプレイ用画面部としている。よって、ディスプレイ用画面部の面積を、折り畳んだ端末の外側に設けられたモニター用画面部の面積の２倍以上に、無理なく拡大できる。
【００２３】
（４）請求項４に係る携帯用電子スクラップ装置によれば、記憶部に保存された情報を第１及び第２ディスプレイ用画面部に両画面部を跨いで表示するようにしたので、情報を記憶部に保存する撮影時にモニター用画面部に表示された文字情報を、２倍以上に拡大して第１及び第２ディスプレイ用画面部に表示できる。よって、文字の潰れを抑制できる。
【００２４】
（５）請求項５に係る携帯用電子スクラップ装置によれば、端末を裏板部、表板部及びそれらを連結する蝶番部から構成し、表板部の外側面にカメラのレンズを、裏板部の外側面にモニター用画面部を、裏板部の内側面に第１ディスプレイ用画面部を、表板部の内側面に第２ディスプレイ用画面部を夫々設けたので、端末全体をコンパクトに構成できる。
【００２５】
（６）請求項６に係る携帯用電子スクラップ装置によれば、モニター用画面部を矩形モニター用画面部から構成し、その短辺の右側方に横用シャッター釦を、長辺の下方に縦用シャッター釦を夫々配設したので、矩形モニター用画面部を横向きにした際には横用シャッター釦を右手で操作でき、矩形モニター用画面部を縦向きにした際には縦用シャッター釦を右手できる。よって、使い勝手がよい。
【００２６】
（７）請求項７に係る携帯用電子スクラップ装置によれば、カメラのレンズをズームレンズ、交換可能レンズ又は交換可能なズームレンズとしたので、新聞や雑誌等におけるスクラップする情報の範囲すなわち撮影範囲の大小に応じて各レンズを交換することで、文字情報をピン呆けすることなく適切に撮影することができる。
【図面の簡単な説明】
【００２７】
【図１】本発明の一実施形態を示す携帯用電子スクラップ装置を折り畳んだ状態を示す説明図であり、（ａ）は折り畳んだ携帯用電子スクラップ装置の背面図、（ｂ）は同装置の側面図、（ｃ）は同装置の平面図、（ｄ）は同装置の正面図である。
【図２】図１の携帯用電子スクラップ装置を途中まで展開（略９０度展開）した状態を示す斜視図である。
【図３】図２の携帯用電子スクラップ装置を別の角度から見た斜視図である。
【図４】図３の携帯用電子スクラップ装置を更に展開した斜視図である。
【図５】図４の携帯用電子スクラップ装置を１８０度展開した状態を示す説明図であり、（ａ）は展開した携帯用電子スクラップ装置の内面を示す内面図、（ｂ）は同装置の側面図、（ｃ）は同装置の外面を示す外面図である。
【図６】折り畳んだ携帯用電子スクラップ装置を横向きとして撮影する様子を示す斜視図である。
【図７】横向きで撮影した情報をディスプレイ用画面部に表示した説明図であり、（ａ）は第１ディスプレイ用画面部に表示した説明図であり、（ｂ）は第１及び第２ディスプレイ用画面部にそれらを跨いで表示した説明図である。
【図８】折り畳んだ携帯用電子スクラップ装置を縦向きとして撮影する様子を示す斜視図である。
【図９】縦向きで撮影した情報をディスプレイ用画面部に表示した説明図であり、（ａ）は第１ディスプレイ用画面部に表示した説明図であり、（ｂ）は第１及び第２ディスプレイ用画面部にそれらを跨いで表示した説明図である。
【発明を実施するための形態】
【００２８】
本発明の好適実施形態を添付図面に基づいて説明する。
【００２９】
図１〜図４に示すように、本実施形態に係る携帯用電子スクラップ装置１は、携帯可能な端末２と、スクラップする情報を撮影するカメラのレンズ３と、撮影の際に撮影範囲（スクラップ範囲）を表示するモニター用画面部４と、撮影した情報を保存する記憶部５と、記憶部５に保存された情報を表示するディスプレイ用画面部６とを備えている。
【００３０】
端末２は、ノートパソコンのように折畳・展開可能な二つ折り構造となっており、本実施携帯では折り畳んでＡ５サイズ、展開してＡ４サイズとなっているが、それ以下の或いはそれ以上のサイズでもよい。例えば、新聞等の比較的広い面積の情報をスクラップすることを主な目的とする場合には、端末を、折り畳んでＡ４サイズ、展開してＡ３サイズとしてもよい。
【００３１】
端末２は、薄い長方形の板状に形成された裏板部２ａと、それと同サイズの表板部２ｂと、裏板部２ａの一方の長辺と表板部２ｂの一方の長辺とを接続する蝶番部２ｃとを有し、蝶番部２ｃによって、裏板部２ａと表板部２ｂとが重なる折畳状態と、裏板部２ａと表板部２ｂとが開かれる展開状態とに変形するようになっている。裏板部２ａと表板部２ｂとの開き角度は、例えば最大で１８０度であり、蝶番部２ｃによって任意の角度に固定できる。蝶番部２ｃには、端末２を起動・停止するためのオン・オフスイッチ釦７が設けられている。なお、オン・オフスイッチ釦７の設置場所は蝶番部２ｃに限られず、裏板部２ａ及び表板部２ｂの何れの箇所でもよい。
【００３２】
表板部２ｂには、端末２を折り畳んだときの外側面２ｄに、スクラップする情報を撮影するためのレンズ３が取り付けられている。レンズ３は、ワイドレンズ（広角レンズ：例えば最大角１００度程度）が用いられ、新聞や雑誌等の被写体に近付きつつピン呆けすることなく広い範囲を撮影できる。レンズ３は、本実施形態では、図１（ｄ）に示すように裏板部２ｂの外側面２ｄの上部中央に、図１（ｂ）に示すように外側面２ｄから突出して配設されているが、場所はどこでもよく、また、外側面２ｄと面一となっていてもよい。
【００３３】
レンズ３は、固定レンズでも構わないが、ズームレンズ、交換可能レンズ又は交換可能なズームレンズでもよい。レンズ３をズームレンズ、交換可能レンズ又は交換可能なズームレンズとすれば、新聞や雑誌等におけるスクラップする情報の範囲すなわち撮影範囲の大小に応じて各レンズを交換することで、文字情報をピン呆けすることなく適切に撮影することができる。
【００３４】
裏板部２ａには、端末２を折り畳んだときの外側面２ｅに、モニター用画面部（液晶や有機ＥＬ等）４が設けられている。モニター用画面部４は、スクラップする情報を撮影する際に撮影範囲（スクラップ範囲）を表示するものであり、長辺４ａと短辺４ｂとを有する矩形モニター用画面部４ｃが用いられている。矩形モニター用画面部４ｃは、図６に示すように横長の情報を撮影する場合と、図８に示すように縦長の情報を撮影する場合とで、縦横の向きが使い分けられる。
【００３５】
裏板部２ａの外側面２ｅには、矩形モニター用画面部４ｃを横向きにしたときに使用する横用シャッター釦８と、矩形モニター用画面部４ｃを縦向きにしたときに使用する縦用シャッター釦９とが設けられている。図６に示すように、矩形モニター用画面部４ｃの長辺４ａが水平で短辺４ｂが鉛直となるように端末２を横長に立てた姿勢としたとき、短辺４ｂの右方に横用シャッター釦８が配設され、長辺４ａの下方に縦用シャッター釦９が配設されている。
【００３６】
これにより、図６に示すように、矩形モニター用画面部４ｃを横向きにして撮影する際、左手で端末２の左端を把持し、右手で横用シャッター釦８を操作でき、且つ、図８に示すように、矩形モニター用画面部４ｃを縦向きにして撮影する際にも、左手で端末２の左端を把持し、右手で縦用シャッター釦９を操作できる。よって、操作性が良好となる。
【００３７】
裏板部２ａの外側面２ｅには、レンズ３をズームレンズとした場合、その倍率を変更するためのズームレバー１０が設けられている。ズームレバー１０はシーソータイプとなっており、一方（例えば図６の右方）に傾けると拡大し、他方（左方）に傾けると縮小するようになっている。拡大すると被写体（雑誌等の記事）が大写しとなるが撮影範囲が狭くなり、縮小すると記事の文字は小さく撮影されるが撮影範囲が広くなる。なお、ズームレバー１０はシーソータイプに限られず、短いロッドを傾けるタイプや釦タイプ等、様々なタイプであってもよい。
【００３８】
ズームレバー１０は、図６に示すように、端末２を横長に立てた姿勢としたとき、横用シャッター釦８の下方で且つ縦用シャッター釦９の右方に、端末２の角部近傍に位置して配置されている。これにより、矩形モニター用画面部４ｃを横向きにして撮影する際、ズームレバー１０を右手で操作でき、且つ、図８に示すように、矩形モニター用画面部４ｃを縦向きにして撮影する際にも、ズームレバー１０を右手で操作でき、操作性が良好となる。
【００３９】
レンズ３で撮影された情報（画像）は、端末２に設けられた記憶部５（図１（ａ）参照）に保存される。記憶部５は、端末２の内部に設けられた内蔵メモリ（フラッシュメモリ、ハードディスク等）の他、端末に着脱される外部メモリ（ＳＤメモリカード、ミニＳＤ、マイクロＳＤ等、符号５はＳＤメモリカード）を併用してもよい。なお、内蔵メモリは図示省略する。端末２には、ＵＳＢ端子１１が設けられており、外部のコンピュータと接続することで、記憶部５とコンピュータとの間で情報（画像データ等）を送受信できるようになっている。
【００４０】
図５（ａ）に示すように、展開した端末２の内側（折り畳まれた状態から展開によって露出した側）の面には、記憶部５に保存された情報を表示するディスプレイ用画面部（液晶や有機ＥＬ等）６が設けられている。ディスプレイ用画面部６は、裏板部２ａの内側面２ｆに設けられた第１ディスプレイ用画面部６ａと、表板部２ｂの内側面２ｇに設けられた第２ディスプレイ用画面部６ｂとの二画面から構成されている。
【００４１】
第１ディスプレイ用画面部６ａの面積は、モニター用画面部４（矩形モニター用画面部４ｃ）の面積よりも大きい。モニター用画面部４が設けられる裏板部２ａの外側面２ｅには、モニター用画面部４の他、横用シャッター釦８、縦用シャッター釦９及びズームレバー１０等の部材が配設されるため、それら部材によってモニター用画面部４の面積の拡大が制限されるが、第１ディスプレイ用画面部６ａが設けられる裏板部２ａの内側面２ｆには、第１ディスプレイ用画面部６ａのみが配設されるため、第１ディスプレイ用画面部６ａの面積を裏板部２ａの内側面２ｆの略全体にまで拡大できる。
【００４２】
同様の理由により、第２ディスプレイ用画面部６ｂの面積も、モニター用画面部４の面積より大きく、第１ディスプレイ用画面部６ａと同サイズ（但し同サイズに限定されない）となっている。よって、これら第１ディスプレイ用画面部６ａ、第２ディスプレイ用画面部６ｂには、夫々、モニター用画面部４に表示して記憶部５に保存された情報（スクラップされた所定範囲の情報）を、モニター用画面部４に表示したときよりも拡大して表示できる。なお、各画面部のサイズは、例えば端末２を展開時にＡ４サイズとした場合、モニター用画面部４を約７インチ、第１、第２ディスプレイ用画面部６ａ、６ｂを約８．１インチとし、端末２を展開時にＡ３サイズとした場合、モニター用画面部４を約８．１インチ、第１、第２ディスプレイ用画面部６ａ、６ｂを約１１．８インチとすることが考えられる。なお、これらの数値は例示であって他のサイズでもよい。
【００４３】
ディスプレイ用画面部６（第１、第２ディスプレイ用画面部６ａ、６ｂ）の単位面積当たりの画素数は、モニター用画面部４の単位面積当たりの画素数と同じでも構わないが、本実施形態ではより多くしている。ディスプレイ用画面部６の単位面積当たりの画素数をモニター用画面部４の単位面積当たりの画素数よりも多くすれば、撮影時にモニター用画面部４に表示して記憶部５に保存した情報を、その後、ディスプレイ用画面部６に表示すると、モニター用画面部４に表示したときよりもクリアに精密に表示できる。なお、各画面部の画素数は、例えば、モニター用画面部４を１００ｄｐｉ（dot per inch）、ディスプレイ用画面部６を２００ｄｐｉ（２倍の画素数）とすること等が考えられる。これらの数値は例示であって他の数値でもよい。
【００４４】
以上の構成から成る本実施形態に係る携帯用電子スクラップ装置１の使用方法（作用）を述べる。
【００４５】
新聞や雑誌等の素材１２から情報をスクラップする際には、端末２を折り畳んでコンパクトで取扱性のよい状態とする。図６に示すように、素材１２から横長の情報をスクラップする場合、矩形モニター用画面部４ｃを横向きにする。その状態で、左手で端末２の左側を把持して素材１２との距離を調整し、右手でズームレバー１０を操作して撮影範囲及び拡縮率を調整し、モニター用画面部４にスクラップすべき情報の範囲を表示させる。
【００４６】
このとき、モニター用画面部４に表示された情報の文字は小さく潰れていて判読不能であっても構わない。情報の閲覧は、モニター用画面部４では行わないからである。モニター用画面部４の解像度（単位面積当たりの画素数）は、スクラップする範囲を定める際にその範囲の情報の大凡のレイアウトが判別できる程度で足りる。よって、モニター用画面部４に低廉の部品を採用できる。モニター用画面部４によってスクラップする範囲を定めたなら、右手で横用シャッター釦８を操作して撮影する。撮影された情報は、端末２の記憶部５に保存される。
【００４７】
スクラップされた情報を閲覧する際には、図７（ａ）に示すように、記憶部５に保存された情報を第１ディスプレイ用画面部６ａ又は第２ディスプレイ用画面部６ｂに表示する。第１、第２ディスプレイ用画面部６ａ、６ｂは、共に、モニター用画面部４よりも面積が大きいので、撮影時にモニター用画面部４に表示された範囲の情報を拡大して全体的に表示できる。よって、文字の潰れを抑制しつつ、スクラップした範囲の情報を一目で把握できる。
【００４８】
記憶部５に保存された情報は、図７（ｂ）に示すように、第１及び第２ディスプレイ用画面部６ａ、６ｂに両画面部を跨いで表示してもよい。第１及び第２ディスプレイ用画面部６ａ、６ｂを一つのディスプレイ用画面部６として使用することで、ディスプレイ用画面部６の面積をモニター用画面部４の面積の２倍以上とすることができる。よって、撮影時にモニター用画面部４に表示された文字情報を、その面積を２倍以上に拡大してディスプレイ用画面部６（第１及び第２ディスプレイ用画面部６ａ、６ｂ）に表示できる。
【００４９】
ディスプレイ用画面部６（第１、第２ディスプレイ用画面部６ａ、６ｂ）の単位面積当たりの画素数は、モニター用画面部４の単位面積当たりの画素数よりも多い。このため、スクラップした情報をディスプレイ用画面部６に表示して閲覧する際には、撮影時にモニター用画面部４に表示されたものよりも、クリアに精密に表示できる。よって、ディスプレイ用画面部６には、モニター用画面部４よりも情報が拡大された上、精密に表示されることになり、文字の潰れを更に抑制できる。
【００５０】
図７（ａ）に示す第１ディスプレイ用画面部６ａ、第２ディスプレイ用画面部６ｂは、図６に示すモニター用画面部４（矩形モニター用画面部４ｃ）の相似形とすることが好ましい。モニター用画面部４に表示された範囲の情報を、トリミングすることなくそのまま拡大して表示できるからである。同様の理由により、図７（ｂ）に示す第１ディスプレイ用画面部６ａと第２ディスプレイ用画面部６ｂとを横に繋げた形状（矩形）は、モニター用画面部４の相似形とすることが好ましい。
【００５１】
図７（ａ）に示す情報表示と図７（ｂ）に示す情報表示とは、端末２に設けられた図示しないスイッチで切り替えられる。但し、端末２にその向きが図７（ａ）の向きとなっているか図７（ｂ）の向きとなっているかを検出する重力センサを設け、端末２が図７（ａ）の向きとなっているときには第１又は第２ディスプレイ用画面部６ａ又は６ｂに情報を表示し、端末２が図７（ｂ）の向きとなっているときには第１及び第２ディスプレイ用画面部６ａ及び６ｂに両画面部を跨いで情報を表示するようにしてもよい。
【００５２】
端末２に、第１、第２ディスプレイ用画面部６ａ、６ｂの表示画像を拡大縮小する機能（例えば第１、第２ディスプレイ用画面部６ａ、６ｂに設けられたタッチパネルによる拡縮機能）を付加し、図７（ａ）の情報表示や図７（ｂ）の情報表示でも判読できない細かな文字を更に拡大できるようにしてもよい。
【００５３】
この携帯用電子スクラップ装置１によれば、カメラで撮影してスクラップしているので、スクラップする素材１２を破損することなく、自然風景、立体物、テレビ画面等を手軽に簡単にスクラップでき、動画の保存も可能である。また、端末２にディスプレイ用画面部６を設けているので、端末２を携行することで、いつでもどこでもスクラップした内容を確認でき、使い勝手がよい。
【００５４】
以上、素材１２から横長の情報をスクラップする場合を図６、図７を用いて述べたが、縦長の情報をスクラップする場合を図８、図９を用いて説明する。
【００５５】
素材１２から縦長の情報をスクラップする場合、図８に示すように端末２を縦向き、すなわち矩形モニター用画面部４ｃを縦向きにする。その状態で、左手で端末２の左側を把持して素材１２との距離を調整し、右手でズームレバー１０を操作して撮影範囲及び拡大縮小率を調整し、モニター用画面部４にスクラップすべき情報の範囲を表示させ、右手で縦用シャッター釦９を操作して撮影する。
【００５６】
このように、矩形モニター用画面部４ｃを縦向きにした場合であっても、横向きの場合と同様に、右手で縦用シャッター釦９及びズームレバー１０を操作できるので、使い勝手がよい。また、撮影時、端末２は折り畳まれてコンパクトな状態になっているので、取扱性に優れ、端末２を持ち運ぶときにも折り畳んだ状態とすることで、可搬性が向上する。縦向きで撮影された情報は、端末２の記憶部５に保存される。
【００５７】
記憶部５に保存された情報を閲覧するときには、端末２を展開し、図９（ａ）に示すように、第１又は第２ディスプレイ用画面部６ａ又は６ｂに表示させるか、或いは図９（ｂ）に示すように第１及び第２ディスプレイ用画面部６ａ及び６ｂに両画面部を跨いで表示させる。これらの切替は、端末２に設けられた図示しないスイッチで行ってもよいが、端末２に重力センサを設けて端末２の向きに応じて切り替わるようにしてもよい。
【００５８】
縦向き撮影の情報を閲覧する場合も、ディスプレイ用画面部６（第１、第２ディスプレイ用画面部６ａ、６ｂ）は面積がモニター用画面部４よりも大きいため、ディスプレイ用画面部６に、撮影時にモニター用画面部４に表示された範囲の情報を拡大して全体的に表示できる。よって、文字の潰れが抑制され、且つスクラップした範囲の情報を一目で把握できる。また、ディスプレイ用画面部６は単位面積当たりの画素数がモニター用画面部４よりも多いため、ディスプレイ用画面部６に、撮影時にモニター用画面部４に表示された情報をクリアに精密に表示できる。よって、文字の潰れを更に抑制できる。
【００５９】
その他、縦向きで撮影した情報を閲覧する場合の作用効果は、図６図７を用いて説明した横向きで撮影した情報を閲覧する場合と同様であるので、詳しい説明を省略する。
【００６０】
なお、端末２に組み込まれるカメラは、オートフォーカス機能、手振れ補正機能を有することが好ましい。また、新聞、雑誌等の記事を斜めから撮影した場合に、斜めに撮影された画像を真っ直ぐに補正する、即ち記事を直角方向から撮影したときのように補正する斜め補正機能を有していてもよい。
【００６１】
撮影された情報は、撮影日時と共に記憶部５に記憶される。記憶部５の情報を閲覧する際には、いずれかの画面部４、６に撮影日時の一覧を表示し、撮影日時によって情報を検索できるようにしてもよい。また、いずれかの画面部４、６に、夫々の撮影日時の情報を複数小さく表示（文字が判読できなくても全体のレイアウトが分かる程度に小さく表示）し、その表示を手掛かりとして情報を検索するようにしてもよい。例えば、第１及び第２ディスプレイ用画面部６ａ、６ｂに、各撮影日時の画像を小さくしてｎ行ｍ列（ｎ、ｍは自然数：２行３列（６個）、３行４列（１２個）等）ずつ纏めて表示することが考えられる。
【００６２】
ディスプレイ用画面部６（第１ディスプレイ用画面部６ａ又は第２ディスプレイ用画面部６ｂ）に、タッチパネル式のキーボードを表示するようにし、キーボードにより撮影された情報にタイトルを入力してタグ付けできるようにしてもよい。これにより、情報を検索する際、タグによるキーワード検索が可能となる。キーワード検索は、キーボードを利用して行う。また、キーボードを用いることで、記憶部５に保存する情報にコメントを追加できるようにしてもよい。
【００６３】
例えば、図７（ａ）に示す第２ディスプレイ用画面部６ｂの裏側に設けられたレンズ３（図５（ｃ）参照）を表板部２ｂの外側面２ｄと面一にすれば、表板部２ｂの外側面２ｄを机等に密着して安定して置くことができるので、図７（ａ）に示す第２ディスプレイ用画面部６ｂにタッチパネル式のキーボードを表示するようにすれば、第１ディスプレイ用画面部６ａに表示された情報を見ながらタイトルやコメントを入力できる。
【００６４】
撮影された情報を文字部分とそれ以外の部分（写真、図面、グラフ等）とに分け、文字部分をＯＣＲ（Optical Character Recognition：光学文字認識装置）を用いて文字データ（例えばテキストデータ）として認識し、文字以外の部分と共に記憶部５に保存するようにしてもよい。こうすれば、記憶部５の情報を閲覧する際に、文字部分のキーワード検索が可能となる。
【００６５】
記憶部５に保存された情報を端末２に内蔵された通信装置（通信モジュール、アンテナ等）によって電子メールで他のコンピュータ等に送信し、他のコンピュータ等から情報を受信できるようにしてもよい。無線ＬＡＮによりインターネット通信ができるようにし、プリンタへの印刷出力ができるようにしてもよい。
【００６６】
本発明は、上述した実施形態に限定されるものではなく、特許請求の範囲に記載された発明を逸脱しない範囲内であれば、様々な実施形態が含まれる。
【符号の説明】
【００６７】
１  携帯用電子スクラップ装置
２  端末
２ａ  裏板部
２ｂ  表板部
２ｃ  蝶番部
２ｄ  表板部の外側面
２ｅ  裏板部の外側面
２ｆ  裏板部の内側面
２ｇ  表板部の内側面
３  レンズ
４  モニター用画面部
４ａ  長辺
４ｂ  短辺
４ｃ  矩形モニター用画面部
５  記憶部
６  ディスプレイ用画面部
６ａ  第１ディスプレイ用画面部
６ｂ  第２ディスプレイ用画面部
７  オン・オフスイッチ釦
８  横用シャッター釦
９  縦用シャッター釦
１０  ズームレバー
１１  ＵＳＢ端子
１２  素材
【図１】
2012085080.tif 000003
【図２】
2012085080.tif 000004
【図３】
2012085080.tif 000005
【図４】
2012085080.tif 000006
【図５】
2012085080.tif 000007
【図６】
2012085080.tif 000008
【図７】
2012085080.tif 000009
【図８】
2012085080.tif 000010
【図９】
2012085080.tif 000011
【手続補正書】
【提出日】平成23年2月16日(2011.2.16)
【手続補正１】
【補正対象書類名】特許請求の範囲
【補正対象項目名】請求項１
【補正方法】変更
【補正の内容】
【請求項１】
携帯可能な端末に文字をピン呆けすることなく撮影するためのカメラを組み込み、該カメラで撮影したユーザーが求める任意の範囲内の文字・図等のスクラップすべき情報を前記端末内の記憶部に保存し、該記憶部に保存した情報を前記端末に設けた画面部に表示する携帯用電子スクラップ装置であって、
前記端末を折畳・展開可能な二つ折り構造とし、
折り畳んだ前記端末の外側に、スクラップすべき情報を前記記憶部に保存する際に前記カメラで撮影した範囲を表示するモニター用画面部を設け、
展開した前記端末の内側に、前記記憶部に保存された情報を表示するディスプレイ用画面部を設け、
該ディスプレイ用画面部の面積が前記モニター用画面部の面積よりも大きい
ことを特徴とする携帯用電子スクラップ装置。
【手続補正２】
【補正対象書類名】明細書
【補正対象項目名】０００１
【補正方法】変更
【補正の内容】
【０００１】
本発明は、携帯可能な端末に文字をピン呆けすることなく撮影するためのカメラを組み込み、そのカメラで撮影したユーザーが求める任意の範囲内の文字・図等のスクラップすべき情報を端末内の記憶部に保存し、記憶部に保存した情報をその端末に設けた画面部に表示する携帯用電子スクラップ装置に関する。
【手続補正３】
【補正対象書類名】明細書
【補正対象項目名】００１０
【補正方法】変更
【補正の内容】
【００１０】
上記目的を達成するために創案された請求項１に係る発明は、携帯可能な端末に文字をピン呆けすることなく撮影するためのカメラを組み込み、該カメラで撮影したユーザーが求める任意の範囲内の文字・図等のスクラップすべき情報を前記端末内の記憶部に保存し、該記憶部に保存した情報を前記端末に設けた画面部に表示する携帯用電子スクラップ装置であって、前記端末を折畳・展開可能な二つ折り構造とし、折り畳んだ前記端末の外側に、スクラップすべき情報を前記記憶部に保存する際に前記カメラで撮影した範囲を表示するモニター用画面部を設け、展開した前記端末の内側に、前記記憶部に保存された情報を表示するディスプレイ用画面部を設け、該ディスプレイ用画面部の面積が前記モニター用画面部の面積よりも大きいことを特徴とする携帯用電子スクラップ装置である。
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
携帯可能な端末に文字をピン呆けすることなく撮影するためのカメラを組み込み、該カメラで撮影したユーザーが求める任意の範囲内の文字・図等のスクラップすべき情報を前記端末内の記憶部に保存し、該記憶部に保存した情報を前記端末に設けた画面部に表示する携帯用電子スクラップ装置であって、
前記端末を折畳・展開可能な二つ折り構造とし、
折り畳んだ前記端末の外側に、スクラップすべき情報を前記記憶部に保存する際に前記カメラで撮影した範囲を表示するモニター用画面部を設け、
展開した前記端末の内側に、前記記憶部に保存された情報を表示するディスプレイ用画面部を設け、
該ディスプレイ用画面部の面積が、前記モニター用画面部の面積よりも大きく、
い
前記ディスプレイ用画面部の形状が、前記モニター用画面部の形状を拡大した相似形であり、
前記ディスプレイ用画面部の単位面積当たりの画素数が、前記モニター用画面部の単位面積当たりの画素数よりも多い
ことを特徴とする携帯用電子スクラップ装置。
【請求項２】
前記ディスプレイ用画面部が、展開した前記端末の内側の両面に配設された第１ディスプレイ用画面部及び第２ディスプレイ用画面部から成る
請求項１に記載の携帯用電子スクラップ装置。
【請求項３】
前記第１ディスプレイ用画面部と前記第２ディスプレイ用画面部とを繋げた形状が、前記モニター用画面部の形状を拡大した相似形である
請求項２に記載の携帯用電子スクラップ装置。
【請求項４】
前記記憶部に保存された情報を、前記第１ディスプレイ用画面部及び前記第２ディスプレイ用画面部に、両画面部を跨いで表示する
請求項２又は３に記載の携帯用電子スクラップ装置。
【請求項５】
前記端末が、長方形の板状に形成された裏板部と、該裏板部と同サイズの表板部と、該表板部の一方の長辺と前記裏板部の一方の長辺とを接続する蝶番部とを有し、
前記カメラのレンズが、前記端末を折り畳んだとき外側となる前記表板部の外側面に配設され、
前記モニター用画面部が、前記端末を折り畳んだとき外側となる前記裏板部の外側面に配設され、
前記第１ディスプレイ用画面部が、前記端末を展開したとき露出する前記裏板部の内側面に配設され、
前記第２ディスプレイ用画面部が、前記端末を展開したとき露出する前記表板部の内側面に配設された
請求項２から４の何れか１項に記載の携帯用電子スクラップ装置。
【請求項６】
前記モニター用画面部が、長辺と短辺とを有する矩形モニター用画面部から成り、
該矩形モニター用画面部が、前記端末の裏板部の外側面に配設され、
前記端末を、前記矩形モニター用画面部の長辺が水平で短辺が鉛直となる姿勢としたとき、
前記短辺の右側方に横用シャッター釦を配設すると共に、前記長辺の下方に縦用シャッター釦を配設した
請求項５に記載の携帯用電子スクラップ装置。
【請求項７】
前記カメラのレンズが、ズームレンズ、交換可能レンズ又は交換可能なズームレンズである
請求項１から６の何れか１項に記載の携帯用電子スクラップ装置。
【手続補正２】
【補正対象書類名】明細書
【補正対象項目名】００１０
【補正方法】変更
【補正の内容】
【００１０】
上記目的を達成するために創案された請求項１に係る発明は、携帯可能な端末に文字をピン呆けすることなく撮影するためのカメラを組み込み、該カメラで撮影したユーザーが求める任意の範囲内の文字・図等のスクラップすべき情報を前記端末内の記憶部に保存し、該記憶部に保存した情報を前記端末に設けた画面部に表示する携帯用電子スクラップ装置であって、前記端末を折畳・展開可能な二つ折り構造とし、折り畳んだ前記端末の外側に、スクラップすべき情報を前記記憶部に保存する際に前記カメラで撮影した範囲を表示するモニター用画面部を設け、展開した前記端末の内側に、前記記憶部に保存された情報を表示するディスプレイ用画面部を設け、該ディスプレイ用画面部の面積が、前記モニター用画面部の面積よりも大きく、前記ディスプレイ用画面部の形状が、前記モニター用画面部の形状を拡大した相似形であり、前記ディスプレイ用画面部の単位面積当たりの画素数が、前記モニター用画面部の単位面積当たりの画素数よりも多いことを特徴とする携帯用電子スクラップ装置である。
【手続補正３】
【補正対象書類名】明細書
【補正対象項目名】００１１
【補正方法】変更
【補正の内容】
【００１１】
請求項２に係る発明は、前記ディスプレイ用画面部が、展開した前記端末の内側の両面に配設された第１ディスプレイ用画面部及び第２ディスプレイ用画面部から成る請求項１に記載の携帯用電子スクラップ装置である。
【手続補正４】
【補正対象書類名】明細書
【補正対象項目名】００１２
【補正方法】変更
【補正の内容】
【００１２】
請求項３に係る発明は、前記第１ディスプレイ用画面部と前記第２ディスプレイ用画面部とを繋げた形状が、前記モニター用画面部の形状を拡大した相似形である請求項２に記載の携帯用電子スクラップ装置である。
【手続補正５】
【補正対象書類名】明細書
【補正対象項目名】００１３
【補正方法】変更
【補正の内容】
【００１３】
請求項４に係る発明は、前記記憶部に保存された情報を、前記第１ディスプレイ用画面部及び前記第２ディスプレイ用画面部に、両画面部を跨いで表示する請求項２又は３に記載の携帯用電子スクラップ装置である。
【手続補正６】
【補正対象書類名】明細書
【補正対象項目名】００１４
【補正方法】変更
【補正の内容】
【００１４】
請求項５に係る発明は、前記端末が、長方形の板状に形成された裏板部と、該裏板部と同サイズの表板部と、該表板部の一方の長辺と前記裏板部の一方の長辺とを接続する蝶番部とを有し、前記カメラのレンズが、前記端末を折り畳んだとき外側となる前記表板部の外側面に配設され、前記モニター用画面部が、前記端末を折り畳んだとき外側となる前記裏板部の外側面に配設され、前記第１ディスプレイ用画面部が、前記端末を展開したとき露出する前記裏板部の内側面に配設され、前記第２ディスプレイ用画面部が、前記端末を展開したとき露出する前記表板部の内側面に配設された請求項２から４の何れか１項に記載の携帯用電子スクラップ装置である。
【手続補正７】
【補正対象書類名】明細書
【補正対象項目名】００１６
【補正方法】変更
【補正の内容】
【００１６】
請求項７に係る発明は、前記カメラのレンズが、ズームレンズ、交換可能レンズ又は交換可能なズームレンズである請求項１から６の何れか１項に記載の携帯用電子スクラップ装置である。
【手続補正８】
【補正対象書類名】明細書
【補正対象項目名】００２１
【補正方法】変更
【補正の内容】
【００２１】
また、ディスプレイ用画面部の単位面積当たりの画素数がモニター用画面部の単位面積当たりの画素数よりも多いため、スクラップした情報をディスプレイ用画面部に表示して閲覧する際には、撮影時にモニター用画面部に表示されたものよりも、クリアに精密に表示できる。よって、文字の潰れを更に抑制できる。
加えて、ディスプレイ用画面部の形状がモニター用画面部の形状を拡大した相似形であるので、モニター用画面部に表示された範囲の情報を、トリミングすることなくそのまま拡大してディスプレイ用画面部に表示できる。
【手続補正９】
【補正対象書類名】明細書
【補正対象項目名】００２２
【補正方法】変更
【補正の内容】
【００２２】
（２）請求項２に係る携帯用電子スクラップ装置によれば、展開した端末の内側の両面に第１及び第２ディスプレイ用画面部を設けてこれらを合わせてディスプレイ用画面部としている。よって、ディスプレイ用画面部の面積を、折り畳んだ端末の外側に設けられたモニター用画面部の面積の２倍以上に、無理なく拡大できる。
（３）請求項３に係る携帯用電子スクラップ装置によれば、前記第１ディスプレイ用画面部と前記第２ディスプレイ用画面部とを繋げた形状が、前記モニター用画面部の形状を拡大した相似形であるので、モニター用画面部に表示された範囲の情報を、トリミングすることなくそのまま拡大して第１ディスプレイ用画面部及び第２ディスプレイ用画面部に跨いで表示できる。
【手続補正１０】
【補正対象書類名】明細書
【補正対象項目名】００４２
【補正方法】変更
【補正の内容】
【００４２】
同様の理由により、第２ディスプレイ用画面部６ｂの面積も、モニター用画面部４の面積より大きく、第１ディスプレイ用画面部６ａと同サイズとなっている。よって、これら第１ディスプレイ用画面部６ａ、第２ディスプレイ用画面部６ｂには、夫々、モニター用画面部４に表示して記憶部５に保存された情報（スクラップされた所定範囲の情報）を、モニター用画面部４に表示したときよりも拡大して表示できる。なお、各画面部のサイズは、例えば端末２を展開時にＡ４サイズとした場合、モニター用画面部４を約７インチ、第１、第２ディスプレイ用画面部６ａ、６ｂを約８．１インチとし、端末２を展開時にＡ３サイズとした場合、モニター用画面部４を約８．１インチ、第１、第２ディスプレイ用画面部６ａ、６ｂを約１１．８インチとすることが考えられる。なお、これらの数値は例示であって他のサイズでもよい。
【手続補正１１】
【補正対象書類名】明細書
【補正対象項目名】００４３
【補正方法】変更
【補正の内容】
【００４３】
ディスプレイ用画面部６（第１、第２ディスプレイ用画面部６ａ、６ｂ）の単位面積当たりの画素数は、モニター用画面部４の単位面積当たりの画素数より多くしている。ディスプレイ用画面部６の単位面積当たりの画素数をモニター用画面部４の単位面積当たりの画素数よりも多くすれば、撮影時にモニター用画面部４に表示して記憶部５に保存した情報を、その後、ディスプレイ用画面部６に表示すると、モニター用画面部４に表示したときよりもクリアに精密に表示できる。なお、各画面部の画素数は、例えば、モニター用画面部４を１００ｄｐｉ（dot per inch）、ディスプレイ用画面部６を２００ｄｐｉ（２倍の画素数）とすること等が考えられる。これらの数値は例示であって他の数値でもよい。
【手続補正１２】
【補正対象書類名】明細書
【補正対象項目名】００４７
【補正方法】変更
【補正の内容】
【００４７】
スクラップされた情報を閲覧する際には、図７（ａ）に示すように、端末２を展開し、記憶部５に保存された情報を第１ディスプレイ用画面部６ａ又は第２ディスプレイ用画面部６ｂに表示する。第１、第２ディスプレイ用画面部６ａ、６ｂは、共に、モニター用画面部４よりも面積が大きいので、撮影時にモニター用画面部４に表示された範囲の情報を拡大して全体的に表示できる。よって、文字の潰れを抑制しつつ、スクラップした範囲の情報を一目で把握できる。
【手続補正書】
【提出日】平成23年9月21日(2011.9.21)
【手続補正１】
【補正対象書類名】特許請求の範囲
【補正対象項目名】請求項１
【補正方法】変更
【補正の内容】
【請求項１】
携帯可能な端末に文字をピン呆けすることなく撮影するためのカメラを組み込み、該カメラで撮影したユーザーが求める任意の範囲内の文字・図等のスクラップすべき情報を前記端末内の記憶部に保存し、該記憶部に保存した情報を前記端末に設けた画面部に表示する携帯用電子スクラップ装置であって、
前記端末を折畳・展開可能な二つ折り構造とし、
折り畳んだ前記端末の外側に、スクラップすべき情報を前記記憶部に保存する際に前記カメラで撮影した範囲を表示するモニター用画面部を設け、
展開した前記端末の内側に、前記記憶部に保存された情報を表示するディスプレイ用画面部を設け、
該ディスプレイ用画面部の面積が、前記モニター用画面部の面積よりも大きく、
前記ディスプレイ用画面部の形状が、前記モニター用画面部の形状を拡大した相似形であり、
前記ディスプレイ用画面部の単位面積当たりの画素数が、前記モニター用画面部の単位面積当たりの画素数よりも多い
ことを特徴とする携帯用電子スクラップ装置。
【手続補正２】
【補正対象書類名】明細書
【補正対象項目名】００４２
【補正方法】変更
【補正の内容】
【００４２】
同様の理由により、第２ディスプレイ用画面部６ｂの面積も、モニター用画面部４の面積より大きく、第１ディスプレイ用画面部６ａと同サイズ（但し同サイズに限定されない）となっている。よって、これら第１ディスプレイ用画面部６ａ、第２ディスプレイ用画面部６ｂには、夫々、モニター用画面部４に表示して記憶部５に保存された情報（スクラップされた所定範囲の情報）を、モニター用画面部４に表示したときよりも拡大して表示できる。なお、各画面部のサイズは、例えば端末２を展開時にＡ４サイズとした場合、モニター用画面部４を約７インチ、第１、第２ディスプレイ用画面部６ａ、６ｂを約８．１インチとし、端末２を展開時にＡ３サイズとした場合、モニター用画面部４を約８．１インチ、第１、第２ディスプレイ用画面部６ａ、６ｂを約１１．８インチとすることが考えられる。なお、これらの数値は例示であって他のサイズでもよい。